(57)【要約】【課題】  第一段階の情報及び第二段階の警報により搾乳禁止牛に対する誤搾乳を確実に回避するとともに、大幅なコストダウンを図る。【解決手段】  乳牛Ｃｓの牛体状態に係わる情報を表示する搾乳用情報表示器であって、ミルクパイプ７０に設けたミルクタップ７１又はこのミルクタップ７１の近傍に着脱可能に構成し、かつ装着した際にミルクタップ７１に接続するディストリビュータ８０を検知するディストリビュータ検知部Ｕｄと、ミルクパイプ７０の外周面７０ｆに対して着脱可能に構成し、かつ少なくとも装着した位置Ｘｓに対応する乳牛Ｃｓに対する搾乳禁止に係わる情報を表示する情報表示機能部２、及びディストリビュータ検知部Ｕｄによる検知に基づいて警報を出力する警報出力機能部３を有してなる、情報表示部Ｕｓとを備える。【選択図】  図１
2009050163.tif 000002
【特許請求の範囲】
【請求項１】
乳牛の牛体状態に係わる情報を表示する搾乳用情報表示器であって、ミルクパイプに付設したミルクタップ又はこのミルクタップの近傍に着脱可能に構成し、かつ装着した際に前記ミルクタップに接続するディストリビュータを検知するディストリビュータ検知部と、前記ミルクパイプの外周面に対して着脱可能に構成し、かつ少なくとも装着した位置に対応する乳牛に対する搾乳禁止に係わる情報を表示する情報表示機能部、及び前記ディストリビュータ検知部による検知に基づいて警報を出力する警報出力機能部を有してなる、情報表示部とを具備してなることを特徴とする搾乳用情報表示器。
【請求項２】
前記ディストリビュータ検知部と前記情報表示部は別体に構成し、接続ケーブルを介して接続することを特徴とする請求項１記載の搾乳用情報表示器。
【請求項３】
前記ディストリビュータ検知部は、前記ディストリビュータが係合して切換わる検知スイッチを用いることを特徴とする請求項１又は２記載の搾乳用情報表示器。
【請求項４】
前記情報表示機能部は、搾乳禁止に係わる乳房を特定して表示する分房表示部を有することを特徴とする請求項１記載の搾乳用情報表示器。
【請求項５】
前記警報出力機能部は、発光する警報ランプ及び／又は発音する警報ブザーを備えることを特徴とする請求項１記載の搾乳用情報表示器。
【発明の詳細な説明】
【技術分野】
【０００１】
本発明は、乳牛における搾乳禁止に係わる情報を含む牛体状態に係わる情報を表示する搾乳用情報表示器に関する。
【背景技術】
【０００２】
一般に、搾乳した生乳には品質が確保されない事故乳、即ち、抗生物質投与牛（病体牛）等の搾乳禁止牛から搾乳した生乳の混入，バルククーラの故障等による乳温上昇に伴う品質低下，洗剤や異物の混入，などに基づく事故乳を発生する場合がある。このような事故乳は、通常、集乳後の品質検査で判明する場合が多いことから、搾乳禁止牛の搾乳が一頭であっても混入した生乳全体が廃棄処分となる。したがって、事故乳の発生を回避することは搾乳にとって極めて重要な課題となる。ところで、事故乳の発生原因である搾乳禁止牛に対する誤搾乳の場合、そのほとんどは伝達ミスに基づくものである。即ち、搾乳禁止牛であることを伝達する一般的な方法として、マーキングを施すことが行われているが、実際には、作業者によるマーキングの見落とし或いはマーキングの汚れや欠落によって伝達ミスが発生しているのが実情である。
【０００３】
一方、マーキングの汚れや欠落を回避するため、ランプにより表示する情報表示器を設置することも行われており、従来、この種の情報表示器としては、特許文献１に開示される端末操作部が知られている。この端末操作部は、乳牛の搾乳作業が通常処理であるか特別処理であるかを示す注意情報を入力する注意情報入力スイッチ、具体的には、乳牛が乳房炎に罹っている否かを入力する乳房炎入力スイッチ，乳牛の乳汁が初乳であるか否かを入力する初乳入力スイッチ，乳牛が足癖が悪いか否かを入力する要注意入力スイッチ及びしぶい乳牛であるか否かを入力するしぶい牛入力スイッチ，更に、注意情報を表示する注意情報表示ランプ、具体的には、乳牛が乳房炎に罹っているか否かを表示する乳房炎表示ランプ，乳牛の乳汁が初乳であるか否かを表示する初乳表示ランプ，乳牛が足癖が悪いか否かを表示する要注意表示ランプ及びしぶい乳牛であるか否かを表示するしぶい牛表示ランプ，乳牛の固体番号を確認する際及び前回の搾乳重量を確認する際に操作するチェックスイッチを設けたものであり、同じ注意情報を入力する入力スイッチと表示する表示ランプは、スイッチをオンするとランプが点灯するランプ付スイッチを用いている。
【特許文献１】特開平８−５６５１６号
【発明の開示】
【発明が解決しようとする課題】
【０００４】
しかし、上述した従来の情報表示器（端末操作部）は、次のような問題点があった。
【０００５】
第一に、基本的には単なるランプ点灯に止まるため、マーキングのような欠落を生じる虞れはないが、各乳牛（各ストール）毎に設置する端末操作部の一部に表示するため、全体的には目立ちにくく、しかも、汚れ等の発生により必ずしも作業者の見落としを免れるものではない。したがって、搾乳禁止牛に対する誤搾乳を防止する観点からは必ずしも十分とは言えない。
【０００６】
第二に、正常な通常処理の場合、即ち、搾乳作業が特別処理ではない場合には本来不要であるにも拘わらず、全てのストールに対して同様に設置する必要があるため、設置スペースの確保や低コスト化を図る観点から不利になるとともに、正常な通常処理による搾乳作業においては無駄で邪魔な存在となってしまう。
【０００７】
本発明は、このような背景技術に存在する課題を解決した搾乳用情報表示器の提供を目的とするものである。
【課題を解決するための手段】
【０００８】
本発明に係る搾乳用情報表示器１は、上述した課題を解決するため、乳牛Ｃの牛体状態に係わる情報を表示する搾乳用情報表示器であって、ミルクパイプ７０に設けたミルクタップ７１又はこのミルクタップ７１の近傍に着脱可能に構成し、かつ装着した際にミルクタップ７１に接続するディストリビュータ８０を検知するディストリビュータ検知部Ｕｄと、ミルクパイプ７０の外周面７０ｆに対して着脱可能に構成し、かつ少なくとも装着した位置Ｘｓに対応する乳牛Ｃｓに対する搾乳禁止に係わる情報を表示する情報表示機能部２、及びディストリビュータ検知部Ｕｄによる検知に基づいて警報を出力する警報出力機能部３を有してなる、情報表示部Ｕｓとを具備してなることを特徴とする。
【０００９】
この場合、発明の好適な態様により、ディストリビュータ検知部Ｕｄと情報表示部Ｕｓは別体に構成し、接続ケーブルＵｃを介して接続することができる。また、ディストリビュータ検知部Ｕｄは、ディストリビュータ８０が係合して切換わる検知スイッチ１１を用いることができる。一方、情報表示機能部２には、搾乳禁止に係わる乳房Ｃｂ…を特定して表示する分房表示部１２を設けることができる。さらに、警報出力機能部３には、発光する警報ランプ１３及び／又は発音する警報ブザー１４を設けることができる。
【発明の効果】
【００１０】
このような構成を有する本発明に係る搾乳用情報表示器１によれば、次のような顕著な効果を奏する。
【００１１】
（１）  情報表示器１は、搾乳禁止に係わる情報を表示する必要のある乳牛（搾乳禁止牛）Ｃｓに対してのみ設置するため、作業者は、情報表示機能部２を有する情報表示器１が設置されていることにより搾乳禁止牛Ｃｓであることを認識できる。しかし、万が一、作業者が情報表示器１の設置を見落とし、ディストリビュータ８０をミルクタップ７１に接続した場合であっても警報出力機能部３により警報を出力するため、作業者は、第一段階の情報、更には第二段階の警報により、搾乳禁止牛Ｃｓであることを確実に認識することができる。したがって、搾乳禁止牛Ｃｓに対する誤搾乳を確実に回避することができ、特に、カウシェード方式の搾乳システムに用いて最適である。
【００１２】
（２）  着脱式の情報表示器１を使用し、搾乳禁止に係わる情報を表示する必要のある搾乳禁止牛Ｃｓに対してのみ取付けるため、大幅なコストダウンを実現することができる。しかも、情報表示器１の有効利用を図ることができるとともに、正常な搾乳作業においては邪魔な存在を排除することができる。
【００１３】
（３）  着脱式の情報表示器１を使用し、基本的にはミルクパイプ７０の外周面７０ｆに対して装着できるため、情報表示器１の着脱を容易かつ迅速に行うことができるとともに、情報表示器１の設置スペースを確保する観点からも有利になる。
【００１４】
（４）  好適な態様により、ディストリビュータ検知部Ｕｄと情報表示部Ｕｓを別体に構成し、接続ケーブルＵｃを介して接続するようにすれば、ディストリビュータ検知部Ｕｄの位置を固定し、かつ情報表示部Ｕｓの位置をミルクタップ７１の左右において任意に選択できるなど、使い勝手と利便性を高めることができる。
【００１５】
（５）  好適な態様により、ディストリビュータ検知部Ｕｄに、ディストリビュータ８０が係合して切換わる検知スイッチ１１を用いれば、汚れやすい環境にあってもディストリビュータ８０を確実に検知できるとともに、容易かつ低コストに実施できる。
【００１６】
（６）  好適な態様により、情報表示機能部２に、搾乳禁止に係わる乳房Ｃｂ…を特定して表示する分房表示部１２を設ければ、作業者は、搾乳禁止に対応する具体的な乳房Ｃｂ…の位置を確実に知ることができる。
【００１７】
（７）  好適な態様により、警報出力機能部３に、発光する警報ランプ１３及び／又は発音する警報ブザー１４を設ければ、様々な環境下に対応して、より効果的な警報出力を構築できる。
【発明を実施するための最良の形態】
【００１８】
次に、本発明に係る最良の実施形態を挙げ、図面に基づき詳細に説明する。
【００１９】
まず、本実施形態に係る搾乳用情報表示器１の構成について、図１〜図４を参照して説明する。
【００２０】
情報表示器１は、図１に示すように、ユニットにより別体に構成したディストリビュータ検知部Ｕｄと情報表示部Ｕｓを備え、このディストリビュータ検知部Ｕｄと情報表示部Ｕｓは接続ケーブルＵｃを介して接続する。
【００２１】
ディストリビュータ検知部Ｕｄは、着脱部２１及びこの着脱部２１に取付けた検知スイッチ１１を備える。着脱部２１は、図２に示すように、ミルクパイプ７０の外周面７０ｆに取付ける基部２２及びこの基部２２に対して着脱する着脱本体部２３を備える。また、基部２２は、ミルクパイプ７０の外周面７０ｆに装着するバンド部２４と、このバンド部２４の両端を固定するボルトナット部２５と、バンド部２４の周面に固定した支持盤部２６により構成する。この場合、支持盤部２６に対して着脱本体部２３が着脱する。したがって、例えば、支持盤部２６に、係止孔２７及び挿通孔２８を設けるとともに、着脱本体部２３に、Ｌ形のフック部２９及びネジ部３０を設けて着脱させることができる。これにより、フック部２９を係止孔２７に係止するとともに、ネジ部３０を挿通孔２８に挿通し、このネジ部３０にナット部３１を螺着すれば、着脱本体部２３を支持盤部２６に装着することができる。
【００２２】
検知スイッチ１１には、スイッチ本体部３２及びスイッチレバー部３３を有するリミットスイッチを利用する。スイッチ本体部３２は着脱本体部２３の側面に固定する。また、スイッチレバー部３３は、スイッチ本体部３１に回動自在に支持され、先端側を横方向に延出するとともに、先端には回動自在の係合ローラ部３３ｒを有する。これにより、スイッチレバー部３３に外力を作用させなければ、図１に実線で示すように略水平状態となり、検知スイッチ１１はＯＦＦとなる。一方、この状態のスイッチレバー部３３はスプリング等により上方へ付勢されており、後述するディストリビュータ８０が係合し、スイッチレバー部３３に対して上方から下方への外力を作用させれば、スイッチレバー部３３は下方へ回動変位し、検知スイッチ１１はＯＮとなる。図１に下方へ回動変位したスイッチレバー部３３ｓを仮想線で示す。これにより、検知スイッチ１１は、非検知によりＯＦＦとなり、検知によりＯＮとなる。そして、この検知に係わる情報は接続ケーブルＵｃを介して情報表示部Ｕｓに付与される。このように、ディストリビュータ検知部Ｕｄに、ディストリビュータ８０の係合により切換わる検知スイッチ１１を用いれば、汚れやすい環境にあってもディストリビュータ８０を確実に検知できるとともに、容易かつ低コストに実施できる利点がある。
【００２３】
他方、情報表示部Ｕｓは、図１に示すケーシング４１を備える。ケーシング４１は、ケーシング本体部４１ｍとバッテリ部４１ｂからなり、このバッテリ部４１ｂはケーシング本体部４１ｍに対して着脱する。ケーシング本体部４１ｍの前面パネルには、操作部４２，表示部４３及び発音部４４を設ける。操作部４２は、設定キー４２ａ，位置変更キー４２ｂ，ブザー停止キー４２ｃを有するとともに、表示部４３は、分房表示部１２及び警報ランプ１３（例えば、赤色）を有する。分房表示部１２は、搾乳禁止に対応する乳房Ｃｄ…を特定して表示するものであり、乳牛Ｃ（乳房Ｃｄ…）を模したイラスト部１２ｉ及びこのイラスト１２ｉに描いた四つの乳房位置に対応した四つの注意分房ランプ１２ａ，１２ｂ，１２ｃ及び１２ｄを有する。したがって、分房表示部１２は、情報表示部Ｕｓを装着した位置Ｘｓに対応する乳牛（搾乳禁止牛）Ｃｓに対する搾乳禁止に係わる情報を表示する情報表示機能部２を構成する。この場合、情報表示部Ｕｓは、搾乳禁止牛Ｃｓに対応して装着するため、情報表示部Ｕｓ自身も広義には情報表示機能部２として機能する。また、発音部４４には警報ブザー１４を備える。この警報ブザー１４及び警報ランプ１３は、ディストリビュータ検知部Ｕｄによる検知に基づいて警報を出力する警報出力機能部３を構成する。このような警報ランプ１３及び警報ブザー１４の双方を設けることにより、様々な環境下に対応して、より効果的な警報出力を構築できる利点がある。
【００２４】
さらに、ケーシング本体部４１ｍの背面には、図３に示す着脱部４６を設ける。着脱部４６は、ミルクパイプ７０の外周面７０ｆに対して着脱可能に構成する。したがって、着脱部４６は、上述したバンド部２４及びボルトナット部２５を用いた基部２２と同様に構成してもよいし、図３に示すように、Ｊ形に形成した弾性フック部４７及び滑防止用ゴム４８等により構成してもよい。これにより、情報表示部Ｕｓは、着脱部４６を介してミルクパイプ７０の外周面７０ｆに対して容易に着脱できるとともに、ミルクパイプ７０における任意の位置に着脱可能となる。図３には、ミルクタップ７１の右側に装着した情報表示部Ｕｓを実線で示すとともに、ミルクタップ７１の左側に装着した情報表示部Ｕｓｓを仮想線で示す。このように、情報表示器１は、ディストリビュータ検知部Ｕｄと情報表示部Ｕｓを別体に構成し、接続ケーブルＵｃを介して接続したため、ディストリビュータ検知部Ｕｄの位置を固定し、かつ情報表示部Ｕｓの位置をミルクタップ７１の左右において任意に選択できるなど、使い勝手と利便性を高めることができる利点がある。
【００２５】
一方、ケーシング本体部４１ｍの内部には、図４に示す電気回路（電気基板）を配設する。なお、図４中、図１と同一部分には同一符号を付してある。５１はマイコン（マイクロコンピュータ）を用いた制御部であり、メモリに格納した制御プログラム５１ｐに基づいて一連の制御を実行する。また、制御部５１の入力ポートには、上述した検知スイッチ１１（接続ケーブルＵｃ）及び操作部４２を接続するとともに、制御部５１の出力ポートには出力ドライバ５２を接続し、この出力ドライバ５２の出力部に上述した表示部４３及び発音部４４を接続する。
【００２６】
次に、本実施形態に係る情報表示器１の使用方法及び動作（機能）について、図５〜図９を参照して説明する。
【００２７】
まず、情報表示器１を使用できる搾乳システムの概要について、図５を参照して説明する。同図に示すカウシェード方式の搾乳システムＭは、配列した多数のストールＡ１，Ａ２…を備え、各ストールＡ１，Ａ２…には、それぞれ乳牛Ｃ…が係留されている。また、ストールＡ１，Ａ２…の配列方向に沿ってミルクパイプ７０及び不図示の真空パイプが設置され、ミルクパイプ７０の中途には所定間隔おきにミルクタップ７１…が付設される。ミルクタップ７１は、相隣る一対のストールＡ１，Ａ２に一つの割合で配され、かつ一対のストールＡ１とＡ２の中間に配される。この場合、ミルクタップ７１とミルクパイプ７０は直接連通するとともに、ミルクタップ７１と真空パイプは不図示の真空チューブを介して接続する。
【００２８】
このミルクタップ７１には図５に示す搾乳ユニットＥを接続することができる。搾乳ユニットＥは、ミルククロー８１を備え、このミルククロー８１には乳牛Ｃの乳房Ｃｄ…に装着する四つのティートカップ８２…を接続するとともに、さらに、ミルククロー８１はミルクチューブ８３及び真空チューブ８４を介してディストリビュータ８０に接続する。したがって、搾乳ユニットＥのディストリビュータ８０をミルクタップ７１に接続するとともに、各ティートカップ８２…を乳牛Ｃの乳房Ｃｄ…に装着することにより搾乳することができる。
【００２９】
一方、情報表示器１を使用するに際しては、予め、ディストリビュータ検知部Ｕｄの基部２２をミルクパイプ７０の外周面７０ｐに取付ける。即ち、図２及び図６（ａ）に示すように、バンド部２４を外周面７０ｆに装着し、バンド部２４の両端をボルトナット部２５により固定する。例示は、ミルクタップ７１の左側に位置する外周面７０ｐに取付けた場合を示している。また、基部２２を取付ける際は、検知スイッチ１１における係合ローラ３３ｒを、ミルクタップ７１の装填部７１ｓの下部付近に位置させる。具体的には、ミルクタップ７１の装填部７１ｓにディストリビュータ８０を装填した際に、ディストリビュータ８０の下端面８０ｄが係合ローラ３３ｒに係止してスイッチレバー部３３を下方へ所定角度だけ回動変位させる位置を選定する。なお、ミルクタップ７１は、異なるメーカーは勿論のこと同一メーカーであっても様々なタイプが存在するため、基部２２はミルクタップ７１の種類に応じた様々なタイプをアタッチメントとして用意し、ミルクタップ７１の種類に対応したタイプを選択して使用できる。そして、このような基部２２…の取付けは、全てのミルクタップ７１…に対して同様に行う。
【００３０】
次に、情報表示器１の使用方法について説明する。今、特定の乳牛Ｃ、例えば、ストールＡ１に係留されている乳牛Ｃが、右前位置の乳房Ｃｄに抗生物質が投与された搾乳禁止牛Ｃｓであるものとする。したがって、この場合、作業者は、ストールＡ１とＡ２に対応するミルクタップ７１に対して情報表示器１を取付ける。
【００３１】
まず、予め取付けてある基部２２にディストリビュータ検知部Ｕｄを取付ける。即ち、図２及び図６（ｂ）に示すように、着脱本体部２３のフック部２９を基部２２の係止孔２７に係止するともとに、着脱本体部２３のネジ部３０を基部２２の挿通孔２８に挿通し、ネジ部３０にナット部３１を螺着して固定する。これにより、検知スイッチ１１はミルクタップ７１に対して位置決めされる。また、情報表示部Ｕｓは、図３に示すように、ミルクパイプ７０の外周面７０ｆに装着する。例示（図５）の場合、ストールＡ１の乳牛Ｃが搾乳禁止牛Ｃｓであるため、情報表示部Ｕｓは、ミルクタップ７１の左側（ストールＡ１側）の位置Ｘｓに装着する。
【００３２】
次いで、情報表示部Ｕｓに対する設定を行う。この設定方法について、図８に示すフローチャートを参照して説明する。最初に、設定キー４２ａをＯＮにする（ステップＳ１）。これにより、一番上の分房ランプ１２ａが初期点灯する（ステップＳ２）。点灯位置を変更する場合には位置変更キー４２ｂをＯＮにする（ステップＳ３，Ｓ４）。この際、位置変更キー４２ｂを一回ＯＮにする毎に分房ランプが、１２ａ，１２ｂ，１２ｃ，１２ｄ，１２ａ…の順番に点灯するため、目標の点灯位置になるまで位置変更キー４２ｂのＯＮ操作を繰り返す（ステップＳ４，Ｓ５）。例示は、分房ランプ１２ｃが目標の点灯位置となるため、分房ランプ１２ｃが点灯したなら、この後に設定キー４２ａをＯＮにする（ステップＳ６）。これにより、点灯位置が記憶され、分房ランプ１２ｃが点灯した状態に維持する表示モードとなる（ステップＳ７）。また、追加の設定を行う場合には、この後、位置変更キー４２ｂをＯＮする。これにより、分房ランプ１２ｃの点灯が維持された状態で二番目の分房ランプ１２ａが点灯する。したがって、この状態で一番目の分房ランプ１２ｃの場合と同様に設定することができる（ステップＳ４〜Ｓ７）。三番目の分房ランプ及び四番目の分房ランプの場合も同様に設定することができる。なお、表示モードの状態で設定キー４２ａをＯＮにすれば全ての設定がリセットされる。
【００３３】
このように設定された表示モードの情報表示部Ｕｓは、同時に待機モードとなる。以下、待機モードにおける情報表示器１の動作について、図９に示すフローチャートを参照して説明する。今、作業者、特に、情報表示器１を取付けた作業者とは異なる作業者が、ストールＡ１，Ａ２の乳牛Ｃ…に対して搾乳を行う場合を想定する。ストールＡ１に対して取付けた情報表示器１は待機モードになっているため、分房ランプ１２ｃは点灯状態を維持している（ステップＳ１１）。したがって、作業者は、情報表示器１の存在及び分房ランプ１２ｃの点灯により、ストールＡ１の乳牛Ｃが搾乳禁止牛Ｃｓであることを知ることができ、搾乳禁止牛Ｃｓに対する誤搾乳を回避し、ストールＡ２の乳牛Ｃに対してのみ搾乳を行うことができる。即ち、作業者は、ブザー停止キー４２ｃをＯＮにすることにより警報ブザー１４の出力を停止させ、この後、ミルクタップ７１に搾乳ユニットＥを接続してストールＡ２の乳牛Ｃに対してのみ搾乳を行うことができる。
【００３４】
一方、作業者が情報表示器１の存在を見落とし、ストールＡ１の乳牛Ｃ（搾乳禁止牛Ｃｓ）に対して搾乳を行なうとする場合を想定する。この場合、作業者はミルクタップ７１に搾乳ユニットＥを接続、即ち、図７（ａ），（ｂ）に示すように、ミルクタップ７１の装填部７１ｓにディストリビュータ８０を装填するため、ディストリビュータ８０の下端面８０ｄは係合ローラ３３ｒに係止してスイッチレバー部３３を下方へ所定角度だけ回動変位させ、検知スイッチ１１をＯＮにする（ステップＳ１２）。これにより、赤色の警報ランプ１３が点滅し、同時に警報ブザー１４が鳴る（ステップＳ１３）。したがって、作業者は、万が一情報表示器１の存在を見落としたとしても、警報ランプ１３及び警報ブザー１４により搾乳禁止牛Ｃｓであることを確実に知ることができる。また、分房表示部１２には、搾乳禁止に係わる乳房Ｃｂ…を特定して表示するため、作業者は、搾乳禁止に対応する具体的な乳房Ｃｂ…の位置を確実に知ることができる。なお、警報ブザー１４の出力は、設定時間の経過又はブザー停止キー４２ｃのＯＮにより停止させることができる（ステップＳ１４，Ｓ１５，Ｓ１６）。
【００３５】
他方、ストールＡ２の乳牛Ｃに対する搾乳が終了し、ディストリビュータ８０をミルクタップ７１から離脱させれば、検知スイッチ１１がＯＦＦになるため、情報表示器１は待機モードに復帰する（ステップＳ１７，Ｓ１８，Ｓ１１）。また、ストールＡ１の乳牛Ｃが正常に戻った場合には、情報表示器１の取外しを行う。この場合、装着時における手順と逆の手順により取外せばよい。
【００３６】
よって、このような本実施形態に係る搾乳用情報表示器１は、搾乳禁止に係わる情報を表示する必要のある乳牛（搾乳禁止牛）Ｃｓに対してのみ設置するため、作業者は、情報表示機能部２を有する情報表示器１が設置されていることにより搾乳禁止牛Ｃｓであることを認識できる。しかし、万が一、作業者が情報表示器１の設置を見落とし、ディストリビュータ８０をミルクタップ７１に接続した場合であっても警報出力機能部３により警報を出力するため、作業者は、第一段階の情報、更には第二段階の警報により、搾乳禁止牛Ｃｓであることを確実に認識することができる。したがって、搾乳禁止牛Ｃｓに対する誤搾乳を確実に回避することができ、特に、例示したカウシェード方式の搾乳システムＭに用いて最適である。また、着脱式の情報表示器１を使用し、搾乳禁止に係わる情報を表示する必要のある搾乳禁止牛Ｃｓに対してのみ取付けるため、大幅なコストダウンを実現することができる。しかも、情報表示器１の有効利用を図ることができるとともに、正常な搾乳作業においては邪魔な存在を排除することができる。さらに、着脱式の情報表示器１を使用し、基本的にはミルクパイプ７０の外周面７０ｆに対して装着できるため、情報表示器１の着脱を容易かつ迅速に行うことができるとともに、情報表示器１の設置スペースを確保する観点からも有利になる。
【００３７】
以上、最良の実施形態について詳細に説明したが、本発明は、このような実施形態に限定されるものではなく、細部の構成，形状，数量，手法等において、本発明の要旨を逸脱しない範囲で、任意に変更，追加，削除することができる。
【００３８】
例えば、ディストリビュータ検知部Ｕｄと情報表示部Ｕｓを別体に構成し、接続ケーブルＵｃにより接続した形態を示したが、ディストリビュータ検知部Ｕｄと情報表示部Ｕｓは一体に構成してもよい。また、ストールＡ１とＡ２の二頭とも搾乳禁止牛Ｃｓ…の場合には、一つのディストリビュータ検知部Ｕｄに二つのコネクタを設け、各コネクタに二台の情報表示部Ｕｓ，Ｕｓを同時に接続できるようにすればよい。さらに、ディストリビュータ検知部Ｕｄとして、ディストリビュータ８０が係合して切換わる検知スイッチ１１を用いた場合を示したが、光学的手段又は電磁的手段などによる非接触検出センサを用いてもよい。一方、情報表示機能部２として、搾乳禁止に係わる乳房Ｃｂ…を特定して表示する分房表示部１２を設けたが、必要により他の情報を一緒に表示してもよい。また、警報出力機能部３として、警報ランプ１３及び警報ブザー１４を設けた場合を示したが、警報ブザー１４（又は警報ランプ１３）のみを設ける場合を排除するものではない。なお、本発明に係る搾乳用情報表示器１は、例示したカウシェード方式による搾乳システムＭをはじめ、同様の課題を有する他の各種搾乳システム（パーラー方式の搾乳システム等）にも同様に利用することができる。
【図面の簡単な説明】
【００３９】
【図１】本発明の最良の実施形態に係る搾乳用情報表示器の正面図、
【図２】同搾乳用情報表示器におけるディストリビュータ検知部の側面図、
【図３】同搾乳用情報表示器における情報表示部の側面図を含む使用説明図、
【図４】同搾乳用情報表示器の電気回路図、
【図５】同搾乳用情報表示器の使用説明図、
【図６】同搾乳用情報表示器の使用方法説明図、
【図７】同搾乳用情報表示器の使用方法説明図、
【図８】同搾乳用情報表示器における情報表示部の設定方法を説明するためのフローチャート、
【図９】同搾乳用情報表示器における情報表示部の動作を説明するためのフローチャート、
【符号の説明】
【００４０】
１：搾乳用情報表示器，２：情報表示機能部，３：警報出力機能部，１１：検知スイッチ，１２：分房表示部，１３：警報ランプ，１４：警報ブザー，７０：ミルクパイプ，７０ｆ：ミルクパイプの外周面，７１：ミルクタップ，８０：ディストリビュータ，Ｃｂ…：乳房，Ｃｓ：特定の乳牛（搾乳禁止牛），Ｕｄ：ディストリビュータ検知部，Ｕｓ：情報表示部，Ｕｃ：接続ケーブル，Ｘｓ：装着した位置
【図１】
2009050163.tif 000003
【図２】
2009050163.tif 000004
【図３】
2009050163.tif 000005
【図４】
2009050163.tif 000006
【図５】
2009050163.tif 000007
【図６】
2009050163.tif 000008
【図７】
2009050163.tif 000009
【図８】
2009050163.tif 000010
【図９】
2009050163.tif 000011